(57)【要約】【課題】被掃除面の性質に応じて吸込口へ向かう空気の流れを阻害する部材や、被掃除面を払拭する部材と被掃除面との接触状態を制御し、走行荷重の増加を抑制して円滑に走行可能な吸込口体および電気掃除機を提案する。【解決手段】吸込口体２６は、吸込口２８を有する底面を被掃除面に対向させて往復走行可能または往復滑走可能な吸込口本体３２と、被掃除面に接触することで底面と被掃除面との接近を検知するプローブ４５と、吸込口２８の後方に位置し左右へ延びて吸込口２８へ向かう空気の流れを阻害可能または被掃除面を払拭可能であるとともにプローブ４５による接近検知に連動して底面の法線方向へ進退可能な帯状部材４６と、を備える。【選択図】  図４
2013059414.tif 000002
【特許請求の範囲】
【請求項１】
吸込口を有する底面を被掃除面に対向させて往復走行可能または往復滑走可能な吸込口本体と、
前記被掃除面に接触することで前記底面と前記被掃除面との接近を検知するプローブと、
前記吸込口本体の往路における前記吸込口の後方に位置し左右へ延びて前記吸込口へ向かう空気の流れを阻害可能または前記被掃除面を払拭可能であるとともに前記プローブによる接近検知に連動して前記底面の法線方向へ進退可能な帯状部材と、を備えることを特徴とする吸込口体。
【請求項２】
前記プローブの押し込み量を拡大して前記帯状部材へ伝えるリンク機構を備えることを特徴とする請求項１に記載の吸込口体。
【請求項３】
前記帯状部材は、前記底面と前記被掃除面とが接近するほど前記底面側へ移動することを特徴とする請求項１または２に記載の吸込口体。
【請求項４】
前記プローブは前記被掃除面が木床のように硬い床の場合よりも絨毯のように柔らかい床の場合に押し込み量が大きく、
前記リンク機構は、前記被掃除面が絨毯のように柔らかい床の場合に前記帯状部材を前記被掃除面から離間することを特徴とする請求項１から３のいずれか１項に記載の吸込口体。
【請求項５】
請求項１から４のいずれか１項に記載の吸込口体を備える電気掃除機。
【発明の詳細な説明】
【技術分野】
【０００１】
本発明に係る実施形態は、吸込口体および電気掃除機に関する。
【背景技術】
【０００２】
吸込口を有する底面を被掃除面に対向させて往復走行可能な吸込口体が知られている。この吸込口体は、被掃除面に車輪を接地すると、底面と被掃除面との間に隙間を隔て、この隙間を通過する空気とともに被掃除面上にある塵埃を吸込口へ吸い込む。
【０００３】
ところで、底面と被掃除面との隙間が広すぎると、隙間を通過する空気の流速は低下してしまい塵埃の吸引力も低下する。そこで、従来の吸込口体は、吸込口の周囲に可撓な遮へい板を設けて吸込口体の底面と被掃除面との隙間における流路断面積を適宜に絞り空気の流速を高めて塵埃の吸引力を高める。
【０００４】
一方、吸込口体は、底面の法線方向に進退可能かつ被掃除面を払拭可能なブラシと、被掃除面に対するブラシの接触加重を適宜に調整するバネと、を備える。
【先行技術文献】
【特許文献】
【０００５】
【特許文献１】実公昭６１−４２５１５号公報
【発明の概要】
【発明が解決しようとする課題】
【０００６】
電気掃除機の使用対象となる被掃除面の代表的な例に、性質の異なる２つのタイプの床、具体的にはフローリングや木床などの硬い床と、絨毯を敷いた柔らかい床とがある。
【０００７】
従来の吸込口体は、フローリングや木床などの硬い床を掃除する場合、遮へい板によって流路断面積を意図通りに絞り、塵埃の吸引力を向上して塵埃除去能力を高めることができる。
【０００８】
ところが、従来の吸込口体は、絨毯を敷いた柔らかい床で使用する場合、吸込口体が絨毯に沈み込んで底面と被掃除面との隙間を狭め、遮へい板を被掃除面に強く押し当ててしまい、走行を妨げて取り扱い難くなる。
【０００９】
他方、従来の吸込口体は、バネの弾性とブラシの腰との中立を保ちつつブラシで被掃除面を払拭する。したがって、従来の吸込口体は、絨毯を敷いた柔らかい床で使用する場合、吸込口体の底面が絨毯に沈み込んで底面と被掃除面との隙間を狭め、ブラシに加わる力を増加する。このブラシに加わる力の増加は、ブラシの毛先が絨毯のパイルの凹凸を乗り越えることと相俟ってブラシの劣化を早めるとともに吸込口体の走行を妨げる。
【００１０】
そこで、本発明は、被掃除面の性質に応じて吸込口へ向かう空気の流れを阻害する部材や、被掃除面を払拭する部材と被掃除面との接触状態を制御し、走行荷重の増加を抑制して円滑に走行可能な吸込口体および電気掃除機を提案する。
【課題を解決するための手段】
【００１１】
前記の課題を解決するため本発明の実施形態に係る吸込口体は、吸込口を有する底面を被掃除面に対向させて往復走行可能または往復滑走可能な吸込口本体と、前記被掃除面に接触することで前記底面と前記被掃除面との接近を検知するプローブと、前記吸込口本体の往路における前記吸込口の後方に位置し左右へ延びて前記吸込口へ向かう空気の流れを阻害可能または前記被掃除面を払拭可能であるとともに前記プローブによる接近検知に連動して前記底面の法線方向へ進退可能な帯状部材と、を備えることを特徴とする。
【００１２】
また、本発明の実施形態に係るに係る電気掃除機は、前記吸込口体を備えたことを特徴とする。
【図面の簡単な説明】
【００１３】
【図１】本発明の第１実施形態に係る電気掃除機の外観を示す斜視図。
【図２】本発明の第１実施形態に係る吸込口体を示す斜視図。
【図３】本発明の第１実施形態に係る吸込口体を示す斜視図。
【図４】本発明の第１実施形態に係る吸込口体の部分的な断面図。
【図５】本発明の第１実施形態に係る吸込口体の部分的な斜視図。
【図６】本発明の第１実施形態に係る吸込口体の部分的な断面図。
【図７】本発明の第２実施形態に係る吸込口体の部分的な断面図。
【図８】本発明の第２実施形態に係る吸込口体の部分的な斜視図。
【図９】本発明の第２実施形態に係る吸込口体の部分的な断面図。
【発明を実施するための形態】
【００１４】
本発明に係る吸込口体および電気掃除機の実施形態について図面を参照して説明する。
【００１５】
［第１の実施形態］
本発明に係る吸込口体および電気掃除機の第１実施形態について図１から図６を参照して説明する。
【００１６】
図１は、本発明の第１実施形態に係る電気掃除機の外観を示す斜視図である。
【００１７】
図１に示すように、本実施形態に係る電気掃除機１は、いわゆるキャニスタ型の電気掃除機である。電気掃除機１は、被掃除面上を走行可能な掃除機本体２と、掃除機本体２に着脱自在に接続可能な管部３と、を備える。
【００１８】
掃除機本体２は、本体ケース５と、本体ケース５の両側方にそれぞれ位置する一対の車輪６と、本体ケース５の前半部に位置する着脱自在な塵埃分離集塵部７と、本体ケース５の後半部に位置する電動送風機８と、主に電動送風機８の運転を制御する本体制御部９と、電動送風機８に電力を導く電源コード１１と、を備える。
【００１９】
本体ケース５は、塵埃分離集塵部７に接続可能な本体接続口１２を有する。本体接続口１２は、掃除機本体２の流体的な入口である。
【００２０】
車輪６は、大径の走行輪である。
【００２１】
塵埃分離集塵部７は、電動送風機８の運転にともない発生する負圧によって掃除機本体２が吸い込む塵埃を含んだ空気（以下、「含塵空気」と呼ぶ。）を空気と塵埃とに分離し、捕集し、蓄積する。
【００２２】
電動送風機８は、空気を吸い込んで塵埃分離集塵部７へ塵埃を吸い込むための負圧を発生させる。電動送風機８は、本体ケース５内にあり、塵埃分離集塵部７、本体接続口１２および管部３に流体的に接続する。
【００２３】
本体制御部９は、予め設定する複数の運転モードを有する。また、本体制御部９は、管部３から操作信号を読み取り、予め設定された複数の運転モードから操作信号に対応する任意の運転モードを択一的に選択し、選択した運転モードにしたがって電動送風機８を運転する。予め設定された複数の運転モードは、各々、管部３から読み取る操作信号に対応付けて互いに異なる入力値（電動送風機８の入力値）を有する。
【００２４】
電源コード１１は、自由端部に電源プラグ１４を備える。
【００２５】
管部３は、電動送風機８の運転にともない掃除機本体２から作用する負圧によって、被掃除面から含塵空気を吸い込み掃除機本体２に案内する。管部３は、掃除機本体２に着脱自在に接続可能な継手としての接続管１９と、接続管１９に流体的に接続する集塵ホース２１と、集塵ホース２１に流体的に接続する手元操作管２２と、手元操作管２２から突出する把持部２３と、把持部２３に位置する操作部２４と、手元操作管２２に着脱自在に接続可能な延長管２５と、延長管２５に着脱自在に接続可能な吸込口体２６と、を備える。
【００２６】
接続管１９は、本体接続口１２を介して塵埃分離集塵部７に流体的に接続する。
【００２７】
集塵ホース２１は、長尺で可撓な略円筒形状のホースである。集塵ホース２１の一方の端部（ここでは、後方の端部）は、接続管１９に接続する。集塵ホース２１は、接続管１９を介して塵埃分離集塵部７に流体的に接続する。
【００２８】
手元操作管２２は、集塵ホース２１と延長管２５との間に介在する。手元操作管２２の一方の端部（ここでは、後方の端部）は、集塵ホース２１の他方の端部（ここでは、前方の端部）に接続する。手元操作管２２は、集塵ホース２１および接続管１９を介して塵埃分離集塵部７に流体的に接続する。
【００２９】
把持部２３は、電気掃除機１を操作するために使用者が手で把持する部分である。把持部２３は、使用者が手で容易に把持できる適宜の形状を有して手元操作管２２から突出する。
【００３０】
操作部２４は、それぞれの運転モードに対応するスイッチを備える。具体的には、操作部２４は、電動送風機８の運転停止操作の入力を受け取る停止スイッチ２４ａと、電動送風機８の運転開始操作の入力を受け取る起動スイッチ２４ｂと、を備える。電気掃除機１の使用者は、操作部２４を操作して電動送風機８の運転モードを択一的に選択する。電動送風機が運転を開始した後、起動スイッチ２４ｂは運転モードの選択スイッチとしても機能する。この場合、本体制御部９は、起動スイッチ２４ｂから操作信号を受け取る度に運転モードを強→中→弱→強→………のように切り換える。なお、操作部２４は、起動スイッチ２４ｂに代えて、弱運転スイッチ（図示省略）、中運転スイッチ（図示省略）および強運転スイッチ（図示省略）を別個に備えていても良い。
【００３１】
延長管２５は、伸縮可能な細長略円筒状の管である。延長管２５は、複数の筒状体を重ね合わせたテレスコピック構造を有する。延長管２５の一方の端部（ここでは、後方の端部）は、手元操作管２２の他方の端部（ここでは、前方の端部）に着脱自在に接続する。延長管２５は、手元操作管２２、集塵ホース２１および接続管１９を介して塵埃分離集塵部７に流体的に接続する。
【００３２】
吸込口体２６は、延長管２５の他方の端部（ここでは、前方の端部）に着脱自在に接続する。また、吸込口体２６は、木床やカーペットなどの被掃除面上を走行可能あるいは滑走可能な構造を有するとともに、走行状態または滑走状態において被掃除面に対向する底面に吸込口２８を有する。さらに、吸込口体２６は、吸込口２８に位置して回転自在な回転清掃体２９と、回転清掃体２９を回転駆動可能な電動機３１と、を備える。吸込口体２６は、延長管２５、手元操作管２２、集塵ホース２１および接続管１９を介して塵埃分離集塵部７に流体的に接続する。
【００３３】
電気掃除機１は、起動スイッチ２４ｂが運転開始操作を受け取ると電動送風機８の運転を開始して掃除機本体２の内部に負圧（吸込負圧）を発生する。電気掃除機１は、例えば電動送風機８が停止した状態で起動スイッチ２４ｂに運転開始操作の入力を受け取ると、先ず電動送風機８を強運転モードで運転し、次いで起動スイッチ２４ｂに運転開始操作の入力を受け取ると電動送風機８を中運転モードで運転し、さらに起動スイッチ２４ｂに運転開始操作の入力を受け取ると電動送風機８を弱運転モードで運転し、以下繰り返す。強運転モード、中運転モードおよび弱運転モードは、予め設定された複数の運転モードである。強運転モード、中運転モード、弱運転モードの順に入力値が下がる。
【００３４】
掃除機本体２の内部に生じた負圧は、本体接続口１２から集塵ホース２１と手元操作管２２と延長管２５とを経て吸込口体２６の吸込口２８に作用する。吸込口２８に作用した負圧によって、電気掃除機１は、被掃除面に溜まった塵埃を空気とともに吸込口２８から吸い込んで被掃除面を掃除する。電気掃除機１は、吸込口２８に吸い込んだ含塵空気を塵埃分離集塵部７によって空気と塵埃とに分離する。電気掃除機１は、含塵空気から分離した塵埃を塵埃分離集塵部７に捕集し、蓄積する。他方、電気掃除機１は、含塵空気から分離した空気を塵埃分離集塵部７から電動送風機８へ吸い込んだ後、掃除機本体２から排気する。
【００３５】
吸込口体２６についてさらに詳述する。
【００３６】
図２および図３は、本発明の第１実施形態に係る吸込口体を示す斜視図である。
【００３７】
図２および図３に示すように、本実施形態に係る吸込口体２６は、進行方向である前後方向に短く左右方向へ幅広い扁平な略直方体形状で箱状の吸込口本体３２と、吸込口本体３２の後部中央にある接続管部３３と、を備える。
【００３８】
ここで、吸込口体２６の前進方向（図２中、実線矢Ｘ）を前方、その反対方向を後方とする。また、吸込口体２６を床面などの略水平な被掃除面に置いた状態で、後から前を見たときの左側（図２中、実線矢Ｙ）を左方、その反対方向を右方とする。さらに、吸込口体２６の前後方向および左右方向に直交する右手座標系の＋Ｚ方向を上方とし、その反対方向を下方とする。
【００３９】
吸込口本体３２は、上方へ開放する箱状の下ケース３６と、下ケース３６を上方から覆う上ケース３７と、を備える。
【００４０】
下ケース３６は、吸込口体２６あるいは吸込口本体３２の底面を形成するとともに吸込口２８を有する。また、下ケース３６は、吸込口本体３２底面から突出する複数の凸部４７を備える。凸部は、吸込口体２６を被掃除面に置いたとき、吸込口本体３２底面と被掃除面との隙間を隔てる。なお、吸込口体２６は、凸部４７に代えて吸込口本体３２底面と被掃除面との隙間を隔てる車輪（図示省略）を備えても良い。
【００４１】
接続管部３３は、吸込口体２６を延長管２５に機械的、流体的に接続する自在継手であり、回転接続管部３９と、揺動接続管部４１と、を備える。
【００４２】
回転接続管部３９は、吸込口本体３２に接続するとともに吸込口体２６の前後方向に沿う軸（Ｘ軸に一致する軸またはＸ軸に平行な軸）回りに回転自在である。
【００４３】
揺動接続管部４１は、回転接続管部３９の回転軸に直交する軸回りに揺動自在である。揺動接続管部４１の自由端部は、延長管２５へ着脱可能な継手である。
【００４４】
回転清掃体２９は、吸込口本体３２の左右方向へ延びる軸状の清掃体であり、螺旋状かつ多条に並んで径方向へ延びる複数の毛ブラシ４２と、螺旋状かつ多条に並んで径方向へ延びる可撓なシリコンゴムなどのブレード４３と、を備える。
【００４５】
また、吸込口体２６は、被掃除面に接触することで吸込口本体３２底面と被掃除面との接近を検知するプローブ４５と、吸込口本体３２の前進（往路）における吸込口２８の後方に位置し左右方向へ延びる帯状部材４６と、を備える。
【００４６】
図４は、本発明の第１実施形態に係る吸込口体の部分的な断面図である。
【００４７】
図５は、本発明の第１実施形態に係る吸込口体の部分的な斜視図である。
【００４８】
図４および図５に示すように、本実施形態に係る吸込口体２６は、プローブ４５および帯状部材４６の他に、帯状部材４６を保持する基台４８と、プローブ４５の動きを基台４８へ伝える連結片５１と、を備える。
【００４９】
プローブ４５は、吸込口本体３２底面の法線方向へ進退可能な棒であり、下ケース３６の内外を貫通して延びる。
【００５０】
基台４８は、帯状部材４６と同様に左右方向へ延びるとともにプローブ４５と同様に吸込口本体３２底面の法線方向へ進退できる。
【００５１】
帯状部材４６は、吸込口２８へ向かう空気の流れを阻害可能なように吸込口本体３２の左右方向へ延びるシリコンゴムなどのブレードまたは被掃除面を払拭可能なように吸込口本体３２の左右方向へ延びる複数の毛ブラシである。帯状部材４６は、基台４８とともに吸込口本体３２底面の法線方向へ進退できる。
【００５２】
連結片５１は、プローブ４５、基台４８および帯状部材４６を一体化し、プローブ４５の進退移動を帯状部材４６に伝える。
【００５３】
プローブ４５、基台４８および帯状部材４６は、下ケース３６の舌片５２と連結片５１との間に挟まるコイルスプリング５３によって吸込口本体３２底面から突出する方向へ押される。
【００５４】
プローブ４５の先端４５ａおよび帯状部材４６の先端４６ａは、吸込口本体３２底面から略同じ突出位置にある。なお、帯状部材４６の先端４６ａはプローブ４５の先端４５ａよりも若干大きく突出していても良い。
【００５５】
次に、吸込口体２６を性質の異なる２つのタイプの被掃除面、具体的にはフローリングや木床などの硬い床Ｆｒと、絨毯を敷いた柔らかい床Ｆｓに置いた場合について説明する。
【００５６】
先ず、吸込口体２６をフローリングや木床などの硬い床Ｆｒに置くと（図４）、吸込口本体３２底面は凸部４７の高さＨを隔てて床Ｆｒに対向する。このとき、プローブ４５は、床Ｆｒに接触し、コイルスプリング５３のバネ力に抗して吸込口体２６の上方へ向かって押し上がり、吸込口本体３２底面と床Ｆｒとの接近を検知する。なお、本実施形態におけるプローブ４５の先端４５ａの突出量は凸部４７の高さＨに略等しく、移動量は極めて小さく、移動していなくても良い。
【００５７】
帯状部材４６は、プローブ４５に連動して吸込口体２６の上方へ向かって押し上がり、極めて小さな力で床Ｆｒに先端４６ａを当てる。この状態で、帯状部材４６は、吸込口２８へ向かう空気の流れを阻害し、または床Ｆｒを払拭する。
【００５８】
なお、吸込口体２６を床Ｆｒから離すと、プローブ４５、基台４８および帯状部材４６は、コイルスプリング５３のバネ力によって吸込口本体３２底面から突出する方向へ移動し復帰する。
【００５９】
次いで、吸込口体２６を絨毯のように柔らかい床Ｆｓに置いた場合について説明する。
【００６０】
図６は、本発明の第１実施形態に係る吸込口体の部分的な断面図である。
【００６１】
図６に示すように、本実施形態に係る吸込口体２６を床Ｆｓに置くと凸部４７が床Ｆｓに沈み込み、吸込口本体３２底面は凸部４７の高さＨよりも近い距離ｈを隔てて床Ｆｓに対向する。このとき、プローブ４５は、床Ｆｓに接触し、コイルスプリング５３のバネ力に抗して吸込口体２６の上方へ向かって押し上がり、吸込口本体３２底面と床Ｆｓとの接近を検知する。
【００６２】
帯状部材４６は、プローブ４５に連動して吸込口体２６の上方へ向かって押し上がり、吸込口本体３２底面と床Ｆｓとが接近するほど底面側へ移動して極めて小さな力で床Ｆｓに先端４６ａを当てる。この状態で、帯状部材４６は、吸込口２８へ向かう空気の流れを阻害し、または床Ｆｓを払拭する。
【００６３】
なお、吸込口体２６を床Ｆｓから離すと、プローブ４５、基台４８および帯状部材４６は、コイルスプリング５３のバネ力によって吸込口本体３２底面から突出する方向へ移動し復帰する。
【００６４】
本実施形態に係る吸込口体２６は、プローブ４５によって吸込口本体３２底面と被掃除面との離間距離を検知し、検知した離間距離に連動して帯状部材４６の突出量を調整して帯状部材４６の先端４６ａを被掃除面に押し当てる力を抑制し、走行抵抗を軽減する。
【００６５】
また、本実施形態に係る吸込口体２６は、プローブ４５によって吸込口本体３２底面と被掃除面との離間距離を検知し、検知した離間距離に連動して帯状部材４６の突出量を調整して帯状部材４６の先端４６ａを被掃除面に押し当てる力を抑制し、帯状部材４６の劣化の進行を抑制できる。
【００６６】
［第２の実施形態］
本発明に係る吸込口体および電気掃除機の第２実施形態について図７から図９を参照して説明する。
【００６７】
図７は、本発明の第２実施形態に係る吸込口体の部分的な断面図である。
【００６８】
図８は、本発明の第２実施形態に係る吸込口体の部分的な斜視図である。
【００６９】
本実施形態に係る吸込口体２６Ａにおいて第１実施形態の吸込口体２６と同じ構成には同一の符号を付し、重複する説明は省略する。
【００７０】
図７および図８に示すように、本実施形態に係る吸込口体２６Ａは、プローブ４５の押し込み量を拡大して帯状部材４６へ伝えるリンク機構５５を備える。
【００７１】
リンク機構５５は、プローブ４５の上下動を梃子によって拡大し、帯状部材４６を大きく運動させる。リンク機構５５は、一方の端部を支点５６ａとし他方の端部を作用点５６ｂとするアーム５６と、アーム５６の運動を基台４８に伝えるスライダ５７と、を備える。
【００７２】
アーム５６は、支点と作用点との間にプローブ４５に接する力点５６ｃを有する。アーム５６は、プローブ４５の移動を力点に捕らえ、運動を拡大して作用点に伝える。
【００７３】
スライダ５７は、アーム５６の運動（揺動）を捕らえて基台４８の上下動に変換する。
【００７４】
プローブ４５、基台４８および帯状部材４６は、下ケース３６の舌片５２とスライダ５７との間に挟まるコイルスプリング５８によって吸込口本体３２底面から突出する方向へ押される。
【００７５】
プローブ４５の先端４５ａおよび帯状部材４６の先端４６ａは、プローブ４５が吸込口本体３２底面から最も突出する状態（すなわちプローブ４５の初期位置）において吸込口本体３２底面から略同じ突出位置にある。なお、帯状部材４６の先端４６ａはプローブ４５の先端４５ａよりも若干大きく突出していても良い。
【００７６】
次に、吸込口体２６Ａを性質の異なる２つのタイプの被掃除面、具体的にはフローリングや木床などの硬い床Ｆｒと、絨毯を敷いた柔らかい床Ｆｓに置いた場合について説明する。
【００７７】
先ず、吸込口体２６Ａをフローリングや木床などの硬い床Ｆｒに置くと（図７）、吸込口本体３２底面は凸部４７の高さＨを隔てて床Ｆｒに対向する。このとき、プローブ４５は、帯状部材４６を押し上げない範囲（リンク機構５５の遊びの範囲）で床Ｆｒに僅かに接する。
【００７８】
帯状部材４６は、極めて小さな力で床Ｆｒに先端４６ａを当てる。この状態で、帯状部材４６は、吸込口２８へ向かう空気の流れを阻害し、または床Ｆｒを払拭する。
【００７９】
次いで、吸込口体２６Ａを絨毯のように柔らかい床Ｆｓに置いた場合について説明する。
【００８０】
図９は、本発明の第２実施形態に係る吸込口体の部分的な断面図である。
【００８１】
図９に示すように、本実施形態に係る吸込口体２６Ａを床Ｆｓに置くと凸部４７が床Ｆｓに沈み込み、吸込口本体３２底面は凸部４７の高さＨよりも近い距離ｈを隔てて床Ｆｓに対向する。このとき、プローブ４５は、床Ｆｓに接触し、コイルスプリング５８のバネ力に抗して吸込口体２６の上方へ向かって押し上がり、吸込口本体３２底面と床Ｆｓとの接近を検知する。すなわち、プローブ４５は硬い床Ｆｒよりも柔らかい床Ｆｓによって大きく押し込まれる。
【００８２】
帯状部材４６は、プローブ４５に連動して吸込口体２６の上方へ向かって押し上がる。このとき、リンク機構５５がプローブ４５の運動を拡大するため、帯状部材４６はプローブ４５よりも大きく押し上がり、床Ｆｓから離れる。換言すると、リンク機構５５は、被掃除面が絨毯のように柔らかい床Ｆｓの場合に帯状部材４６を被掃除面から離間する。
【００８３】
なお、吸込口体２６Ａを床Ｆｓから離すと、プローブ４５、基台４８および帯状部材４６は、コイルスプリング５３のバネ力によって吸込口本体３２底面から突出する方向へ移動し復帰する。
【００８４】
本実施形態に係る吸込口体２６Ａは、プローブ４５によって吸込口本体３２底面と被掃除面との離間距離を検知し、検知した離間距離を拡大して帯状部材４６に伝える。したがって、吸込口体２６Ａは、絨毯のような柔らかい床Ｆｓをプローブ４５で検知すると、被掃除面から帯状部材４６を離して走行抵抗を軽減する。なお、被掃除面から帯状部材４６が離れる場合、吸込口本体３２底面と被掃除面との離間距離はフローリングや木床などの硬い床Ｆｒ場合よりも狭まり、流路断面積も減少するので吸引力の低下は無視できる。
【００８５】
また、本実施形態に係る吸込口体２６Ａは、絨毯のような柔らかい床Ｆｓをプローブ４５で検知すると、被掃除面から帯状部材４６を離してしまうので、帯状部材４６の劣化の進行を抑制できる。
【００８６】
ところで、従来の吸込口体は、絨毯のような柔らかい床Ｆｓに沈み込むことによって、第一に吸込口体の底面と床Ｆｓとの隙間における流路断面積の縮小し、第二に遮へい板が床Ｆｓに強く押し付けられて空気の流通をより強く遮へいすることによって、吸込口における負圧が高まり（真空度が高まり）床Ｆｓに貼り付いてしまう場合がある。
【００８７】
一方、本実施形態に係る吸込口体２６Ａは、絨毯のような柔らかい床Ｆｓで吸込口本体３２が沈み込んでも、帯状部材４６を床Ｆｓから離すことによって空気の流量をより多く確保し、負圧の上昇を防いで床Ｆｓに貼り付くことを防ぐことができる。
【００８８】
したがって、本実施形態に係る電気掃除機１および吸込口体２６、２６Ａによれば、被掃除面の性質に応じて帯状部材４６と被掃除面との接触状態を制御（具体的には被掃除面に対する帯状部材４６の接触力を低減）し、走行荷重の増加を抑制して円滑に走行できる。
【００８９】
なお、本発明に係る電気掃除機１は、キャニスタ型の電気掃除機１に限らず、アップライト型、スティック型、ハンディ型あるいは自律型などの電気掃除機であってもよい。
【００９０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９１】
１  電気掃除機
２  掃除機本体
３  管部
５  本体ケース
６  車輪
７  塵埃分離集塵部
８  電動送風機
９  本体制御部
１１  電源コード
１２  本体接続口
１４  電源プラグ
１９  接続管
２１  集塵ホース
２２  手元操作管
２３  把持部
２４  操作部
２４ａ  停止スイッチ
２４ｂ  起動スイッチ
２５  延長管
２６、２６Ａ  吸込口体
２８  吸込口
２９  回転清掃体
３１  電動機
３２  吸込口本体
３３  接続管部
３６  下ケース
３７  上ケース
３９  回転接続管部
４１  揺動接続管部
４２  毛ブラシ
４３  ブレード
４５  プローブ
４５ａ  先端
４６  帯状部材
４６ａ  先端
４７  凸部
４８  基台
５１  連結片
５２  舌片
５３  コイルスプリング
５５  リンク機構
５６  アーム
５７  スライダ
５８  コイルスプリング
【図１】
2013059414.tif 000003
【図２】
2013059414.tif 000004
【図３】
2013059414.tif 000005
【図４】
2013059414.tif 000006
【図５】
2013059414.tif 000007
【図６】
2013059414.tif 000008
【図７】
2013059414.tif 000009
【図８】
2013059414.tif 000010
【図９】
2013059414.tif 000011